(57)【要約】【課題】脳波および脳血流測定を同時に測定することができる端子を提供する。【解決手段】外フランジ１１ａを備えた金属製で筒状のリードパイプ１１と、リードパイプ１１と連結し、空間の上方に内向きの内フランジを備えた筒状のストッパー１２と、前記リードパイプの上端と内フランジの間に配置される筒状のパッキン１３と、前記外フランジとストッパーとの間に配置される金属製で筒状のワッシャー１４と、光ファイバー１５とからなる脳波および脳血流測定用端子１０。光ファイバー１５は、リードパイプ１１とストッパー１２とパッキン１３とが組み合わせられることによって軸方向に連通して形成される内側空間に挿通される。リードパイプ１１はワッシャー１４を介して脳波計と接続され、光ファイバー１５は脳血流測定装置と接続されている。【選択図】図１
2010104615.tif 000002
【特許請求の範囲】
【請求項１】
上部のストッパー連結部と、その下に形成された外フランジと、下端の固定部とを備えた金属製で筒状のリードパイプ、
前記ストッパー連結部と連結するパイプ連結部と、そのパイプ連結部の上方に空間を空けて設けられた内フランジとを備えた筒状のストッパー、
前記リードパイプの上端と前記内フランジとの間に配置される筒状のパッキン、及び
光ファイバーを備え、
前記光ファイバーは、前記リードパイプと前記ストッパーと前記パッキンとが組み合わされて軸方向へと連通したそれぞれの内側空間に挿通されており、
前記リードパイプには脳波計が接続され、前記光ファイバーには脳血流測定装置が接続されるものであり、
前記ストッパー連結部とパイプ連結部とを連結することにより前記リードパイプの上端と内フランジとで押圧されたパッキンが光ファイバーを固定した、脳波および脳血流測定用の端子。
【請求項２】
前記ストッパーの下端と外フランジとの間に配置される金属製のワッシャーを備えており、
前記ワッシャーに脳波計とリードパイプとを接続するリード線が接合されている、
請求項１記載の端子。
【請求項３】
前記固定部が先端に向けて径が小さくなるように形成されたドリルネジである、請求項１または２に記載の端子。
【請求項４】
前記ストッパー連結部が雄ネジであり、前記パイプ連結部がその雄ネジと螺合する雌ネジである、請求項１〜３のいずれかに記載の端子。
【請求項５】
前記リードパイプの胴部と前記ドリルネジとの間に顎部が設けられ、前記リードパイプの下端と前記顎部との間の距離を頭蓋骨の厚さ以内とした請求項３記載の端子。
【請求項６】
前記リードパイプが金属製であり、前記ストッパーが硬質樹脂製であり、前記パッキンが弾性を有する樹脂製であり、前記パッキンが前記リードパイプの上端部と前記ストッパーの内フランジとに当接している請求項１〜５のいずれかに記載の端子。
【請求項７】
光を透過し得る部材により前記リードパイプの下端の開口が実質的に閉塞され、前記リードパイプと前記ストッパーと前記パッキンとが組み合わされて軸方向へと連通したそれぞれの内側空間に挿通された前記光ファイバーの先端がリードパイプの外側の空間に面しないようにされた請求項１〜６のいずれかに記載の端子。
【請求項８】
透明な底部が前記リードパイプの下端もしくは下端の内側となるように、前記リードパイプの内側空間に有底筒状体を挿入して配置することにより前記リードパイプの下端の開口が閉塞され、
その有底筒状体の内側空間に前記光ファイバーを挿入することにより、前記リードパイプと前記ストッパーと前記パッキンとが組み合わされて軸方向へと連通したそれぞれの内側空間に前記光ファイバーを挿通した請求項１〜７のいずれかに記載の端子。
【発明の詳細な説明】
【技術分野】
【０００１】
本発明は、頭蓋骨に固定される脳波および脳血流測定用の端子に関する。
【背景技術】
【０００２】
【特許文献１】特開平９−９８９７２号公報
【特許文献２】特開２００３−１４９１３７号公報
【特許文献３】特開２００７−２５２８８３号公報
【０００３】
従来、難治性てんかんに対する検査として異常脳波発生部位を特定するため、脳内に脳深部電極を留置し脳波を測定する方法がある。また、頭蓋骨の外から頭蓋骨内の大脳皮質等に光を照射し、生体を通過した光を受光することにより脳の血流を測定する方法がある（特許文献１、参照）。
【０００４】
この脳波を測定するための脳深部電極は、ＭＲＩ撮影、ＣＴ撮影、脳血管造影などを行った後、頭部に皮膚切開を行い、ドリルで頭蓋骨に小さな孔を開けて所定の部位に留置される。このとき脳深部電極は、その一端が頭蓋内に配置され、他端が頭蓋の外部に配置され、頭蓋の外部にある部位を頭皮に縫い付けて固定される。
脳波の検査は、２〜３週間行われるため、挿入した脳深部電極の頭蓋骨への固定が重要となる。特に、脳深部電極は脳内にミリメートル単位で配置されるため、留置した脳深部電極が検査期間中に動かないようにし、同時に頭蓋骨に形成した孔を密閉する必要がある。
【０００５】
一方、脳血流を測定するための光を照射あるいは受光する光ファイバーは、光は頭蓋骨および大脳皮質を透過することから頭蓋骨の上から、例えば特許文献２のように、光ファイバーの端部を取り付けた装着具等を頭に被せることにより固定される。
【発明の開示】
【発明が解決しようとする課題】
【０００６】
本出願人は、特許文献３において、円筒状のリードパイプと、その上端に配置されるパッキンチューブと、そのパッキンチューブとリードパイプの間に配置されるワッシャーと、そのパッキンチューブとワッシャーを覆うようにリードパイプの上端に連結される筒状のストッパーとからなる脳深部電極等の固定具を開示している。しかし、この固定具は、脳深部電極または光ファイバー等の器具を一つずつ保持するものである。
本発明は、脳波および脳血流測定を同時に測定することができる端子を提供することを目的としている。
【課題を解決するための手段】
【０００７】
本発明の脳波および脳血流測定用の端子は、上部のストッパー連結部と、その下に形成された外フランジと、下端の固定部とを備えた金属製で筒状のリードパイプ、前記ストッパー連結部と連結するパイプ連結部と、そのパイプ連結部の上方に空間を空けて設けられた内フランジとを備えた筒状のストッパー、前記リードパイプの上端と前記内フランジとの間に配置される筒状のパッキン、及び、光ファイバーを備え、前記光ファイバーは前記リードパイプと前記ストッパーと前記パッキンとが組み合わされて軸方向へと連通したそれぞれの内側空間に挿通されており、前記リードパイプには脳波計が接続され、前記光ファイバーには脳血流測定装置が接続されるものであり、前記ストッパー連結部とパイプ連結部とを連結することにより前記リードパイプの上端と内フランジとで押圧されたパッキンが光ファイバーを固定していることを特徴としている。
【発明の効果】
【０００８】
（１）本発明の脳波および脳血流測定用の端子は、金属製のリードパイプが電極として働き、その電極であるリードパイプ内に光ファイバーが固定されるため、一つの端子を頭蓋骨に取り付けるだけで脳波および脳血流を測定することができる。また、前記ストッパー連結部とパイプ連結部がパッキンを押圧するようにして連結され、押圧されたパッキンの内径が縮径して光ファイバーが固定されるため、線状の光ファイバーが軸方向にずれることがなく、正確な測定を連続的に行うことができる。
【０００９】
（２）このような端子であって、前記ストッパーの下端と外フランジとの間に配置される金属製のワッシャーを備えており、前記ワッシャーに脳波計とリードパイプとを接続するリード線が接合されている場合、頭蓋骨への取り付けが容易である。特に、リードパイプと頭蓋骨とをネジ嵌合させる場合、リードパイプの頭蓋骨への固定の際、リード線がリードパイプと共に回転することなく邪魔にならず、その固定作業が煩雑にならない。
（３）前記固定部が先端に向けて径が小さくなるように形成されたドリルネジである場合、頭蓋骨への取り付けが一層容易となる。
（４）前記ストッパー連結部が雄ネジであり、前記パイプ連結部がその雄ネジと螺合する雌ネジである場合は、リードパイプとストッパーの連結・分離が容易であり、かつ、それらの連結が外れるおそれが小さい。
【００１０】
（５）前記リードパイプの胴部と前記ドリルネジとの間に顎部が設けられ、前記リードパイプの下端と前記顎部との間の距離を頭蓋骨の厚さ以内としている場合、前記ドリルネジの先端が頭蓋骨を貫通することがない。そのため、端子が脳髄液に触れたり、ドリルネジの先端が頭蓋骨内の脳、血管、神経等を傷つけるおそれがない。
（６）前記リードパイプが金属製であり、前記ストッパーが硬質樹脂製であり、前記パッキンが弾性を有する樹脂製であり、前記パッキンが前記リードパイプの上端部と前記ストッパーの内フランジとに当接している場合、リードパイプとストッパーとを連結することによりパッキンをしっかり押圧でき、パッキンの内面により光ファイバーをしっかり把持できる。
（７）光を透過し得る部材によって前記リードパイプの下端の開口が実質的に閉塞され、前記光ファイバーの先端がリードパイプの外側の空間に面しないようにされた場合、特に、（８）透明な底部が前記リードパイプの下端もしくは下端の内側となるように前記リードパイプの内側空間に有底筒状体を挿入して配置することによって前記リードパイプの下端の開口が閉塞され、その有底筒状体の内側空間に前記光ファイバーを挿通している場合には、光ファイバーが脳又は脳髄液と接触することがない。また、光ファイバーがリードパイプの下端から突出することがない。
【発明を実施するための最良の形態】
【００１１】
本発明の端子の一実施態様例について、脳内深部電極を固定する場合を例に挙げて、図面を用いて説明する。図１は本発明の端子の一実施形態を示す断面図、図２ａは図１のリードパイプを示す断面図、図２ｂはその天面図、図２ｃはその胴部のII−II線断面図、図２ｄはその底面図、図３は図１のストッパーを示す断面図、図４ａ、図４ｂ、図４ｃは図１の端子の組み立て方法を示す概略図、図５は図１の端子を頭蓋骨へ固定したときを示す概略図、図６ａは本発明の端子の他の実施形態を示す断面図、図６ｂはその有底筒状体の断面図である。
【００１２】
図１の脳波および脳血流測定用の端子１０は、フランジ１１ａを備えた円筒状のリードパイプ１１と、そのリードパイプ１１の上端に連結される円筒状のストッパー１２と、そのストッパー１２内に収納され、リードパイプ１１の上端に隣接される筒状のパッキン１３と、フランジ１１ａとストッパー１２の間に配置されるリング状のワッシャー１４と、前記リードパイプと前記ストッパーと前記パッキンとが組み合わされて軸方向へと連通したそれぞれの内側空間に挿通された光ファイバー１５とを備えている。また、ワッシャー１４には、リード線１４ａが接合されている。
【００１３】
リードパイプ１１は、図２ａに示すように、円筒状の胴部１６と、その下端に形成されたドリルネジ１７と、上部に形成されたフランジ１１ａと、そのフランジ１１ａより上端側に形成された雄ネジ１８とを備えている。また、雄ネジ１８の上端には、段部１９ａを介して、外形が正方形状の上端部１９を備えている（図２ａ、ｂ参照）。リードパイプ１１は、上端開口部１９ｂと下端開口部１７ｂとを軸方向に連通する内側空間１１ｂを軸方向に備えている。リードパイプ１１の内径は、一律に形成されており、挿入される光ファイバー等の線状器具の外径と実質的に同じに形成されている。
【００１４】
胴部１６の外形は、図２ｃに示すように円状の表面２０であるが、一部が平坦面１６ｂ（想像線）で削られていても良い。平坦面１６ｂは、リードパイプ１１を頭蓋骨に嵌め込むとき、または、取り外すときにレンチ等でしっかり保持するためである。この平坦面１６ｂを備えた胴部の断面形状は、胴部１６の全周にわたって形成されていなくてもレンチ等を嵌合することができれば、一部だけ形成されていればよい。また、この胴部１６の形は多角形状であっても良く、その使用性は落ちるが円筒状であってもよい。
また、胴部１６の外径は、ドリルネジ１７の外径（山径）より大きくなっており、胴部１６とドリルネジ１７との間に段状の顎部１６ａが設けられている。この顎部１６ａと、頭蓋骨の穴の辺とが当接し、リードパイプ１１の過剰なねじ入れを防止することができる。リードパイプの下端と前記顎部との間の距離を頭蓋骨の厚さ以内とすることでリードパイプが頭蓋骨を貫通することがない。そのため、端子を脳髄液に触れさせることなく光ファイバーによる脳血流を測定することができる。
【００１５】
ドリルネジ１７は、タッピングスクリューと同様に、下端（先端）に向けてその径が小さくなるように傾斜面１７ａで３箇所削られた形態を備えることができる（図２ｄ参照）。このドリルネジ１７は４箇所以上の傾斜面で削られていてもよい。これにより、頭蓋骨に挿入する際、タッピング効果を奏し、頭蓋骨に対して所定の位置に密に取り付けることができる。顎部１６ａがドリルネジ１７の上端に接して形成されているため、リードパイプ１１はドリルネジ１７の長さだけ頭蓋骨内に挿入される。そのため、ドリルネジ１７の長さを目的対象に応じてあらかじめ設定して頭蓋骨に挿入することにより、リードパイプ１１を正確に挿入できる。ドリルネジ１７はリードパイプの下端の固定部としても機能する。このドリルネジの代わりに頭蓋骨と固定するための雄ネジまたは錐状としてもよい。
【００１６】
フランジ１１ａは、胴部１６の上端に形成されており、その外径は後述するストッパーの外径と実質的に同じに形成されている。
雄ネジ１８は、後述するストッパー１２の内面に形成された雌ネジと螺合する部位であり、ストッパー連結部として機能する。
【００１７】
リードパイプ１１は、チタン、チタン合金、ステンレススチール等の金属から形成される。これらのうち生体への影響が小さいことからチタン合金を用いるのが好ましい。リードパイプ１１の外径は２．０〜４．０ｍｍ、特に２．５〜３．５ｍｍであるのが好ましい。リードパイプ１１の内径は、０．５〜２．０ｍｍ、特に０．９〜１．５ｍｍであるのが好ましい。さらに、リードパイプ１１の長さは、１０〜４０ｍｍ、特に２０〜３０ｍｍであるのが好ましい。
【００１８】
ストッパー１２はパッキン１３が挿入されて、リードパイプ１１の上部と連結する円筒状のものである。図３に示すように、ストッパー１２の下側にはパイプ連結部２２が設けられ、その内面には前記雄ネジ１８とネジ嵌合する雌ネジ２２ａが設けられている。ストッパー１２には、下端の下側開口部１２ｂと上端の上側開口部１２ａとが連通するように軸方向に内側空間１２ｃが設けられ、雌ネジ２２ａの上方にはパッキン収納空間２３が設けられ、そのパッキン収納空間の上方には内向きに設けられる内フランジ２４が形成されている。このパッキン収納空間２３にはパッキン１３が格納される。
【００１９】
なお、前記パイプ連結部２２は、リードパイプ１１と連結し、その際パッキン収納空間２３のパッキン１３がリードパイプ１１の上端部１９と前記内フランジ２４とで押圧されるように形成されていればよい。本実施形態のようにねじ連結を用いることにより、パッキン１３が狭圧されずリードパイプ１１の上端部１９とストッパー１２の内フランジ２４とが軽く当接した状態でも連結することができる。そのため、端子１０を組み付けた後、光ファイバー１５の微調整が容易にできる。また、ストッパー接続部１８が雌ネジの場合には雄ネジとして形成してもよい。他に、例えば、リードパイプ１１の上部に突出部を設け、ストッパー１２にその突出部と係合する取付孔を設けたり、ストッパー１２にその突出部とスライドして係合する溝を設けたりしてリードパイプ１１とストッパー１２とを連結してもよい。
【００２０】
ストッパー１２の外径は、リードパイプのフランジ１１ａの外径と実質的に同じであり、内フランジ２４の内径がリードパイプの内径と実質的に同じに形成される。また、パッキン収納空間２３の内径は１．０〜４．０ｍｍ、好ましくは２．０〜３．０ｍｍ、その長さは１．０〜４．０ｍｍ、好ましくは２．０〜３．０ｍｍとなっている。
ストッパー１２は、リードパイプ１１と連結し、パッキン１２をリードパイプと狭持することから硬質の合成樹脂であることが好ましく、生体適合性の高い合成樹脂から成形するのが好ましい。特に、ストッパー１２は、材質がポリオキシメチレン（ＰＯＭ）であることが好ましい。
【００２１】
パッキン１３は、筒状で、上端開口部１３ａと下端開口部１３ｂとへ連通する内側空間１３ｃ（図４ａ参照）を備え、上述したようにストッパーのパッキン収納空間２３に収納される。パッキン１３は、液密にリードパイプ１１とストッパー１２とを連結可能にする弾性を有し、弾性変形により内側空間１３ｃに挿通される光ファイバーの抜けを防止できるものであれば特に材料が限定されるものではない。しかし、シリコーンゴム、フッ素系ゴム等のゴムあるいはフッ素系樹脂等の合成樹脂が好ましい。特に、シリコーンゴムは生体への影響が小さく、弾力性の面からも好ましく用いられる。
【００２２】
図４ａのパッキン１３の外径はパッキン収納空間２３の内径と実質的に同じである。また、パッキン１３の長さもパッキン収納空間２３の長さと実質的に同じ長さとしている。そして、リードパイプ１１とストッパー１２とを連結することにより、パッキン１３の下端がリードパイプの上端部１９と当接するように構成されている。さらに、リードパイプ１１の雄ネジ１８とストッパー１２の雌ネジ２２ａとを強く連結することにより、パッキン１３は、リードパイプの上端部１９とストッパーの内フランジ２４の間に挟圧され、同時にパッキン１３が圧縮変形し、その内径が縮径される。
【００２３】
ワッシャー１４は、通電性を有する金属製のものが用いられ、そのワッシャーには脳波計に繋がるリード線１４ａが接合されている（図１参照）。ワッシャー１４は、リードパイプの上端がワッシャーの空間部に挿通され、ストッパー連結部１８の下側外周上に、外フランジ１１ｂの上面と接するように設置される。ワッシャーの外径は、リードパイプのフランジ１１ａ、ストッパー１２の外径と実質的に同じである。また、その内径は、リードパイプの雄ネジの外径と実質的に同じである。
【００２４】
端子１０は、リードパイプ１１、ストッパー１２及びパッキン１３が同軸となって、それぞれの内部空間が連通するように組み合わせてなる。前記組み合わせにより連通したリードパイプ１１、ストッパー１２及びパッキン１３の内部空間は、光ファイバーを軸方向に挿通でき、その固定が可能であればよい。前記組み合わせにおいて、ワッシャー１４は、外フランジ１１ａとストッパー１２とで狭持され、ワッシャー１４とリードパイプ１１とが接触するので、ワッシャー１４を介してリードパイプ１１と脳波計とを接続することができる。
【００２５】
前記リードパイプ１１は、図４に示すようにして組み合わせられる。初めに光ファイバー１５がストッパー１２に通される（図４ａ）。このときパッキン１３は、ストッパー１２のパッキン収納空間２３内に収容してあり、光ファイバー１５はパッキン１３の内側空間１３ｃを挿通することとなる。光ファイバー１５は、ワッシャー１４がリードパイプ１１の上端から挿通された後、リードパイプ１１とストッパー１２とを連結した際に、光ファイバー１５の先端とリードパイプ１１の先端とが実質的に同位置となるようにリードパイプ１１内に挿入される（図４ｂ、ｃ）。光ファイバー１５の先端とリードパイプ１１の先端とは、組み合わされて端子１０となった際に実質的に同位置となることが好ましいが、光ファイバー１５の先端がリードパイプ１１の先端から出ることなく、脳の状態の観測が可能であれば、実質的同位置でなくてもよい。
【００２６】
次いで、ストッパー１２の雌ネジ２２ａとリードパイプ１１の雄ネジ１８とをネジ嵌合し、パッキン１３およびワッシャー１４を固定する。このとき、パッキン１３は、リードパイプの上端部１９とストッパーの内フランジ２４とに挟圧され、その内径が縮径し、パッキン１３に挿入された光ファイバー１５を把持する（図４ｃ参照）。それと同時にパッキン１３はリードパイプ１１とストッパー１２との間を強くシールする。このとき、前記リードパイプ１１と前記ストッパー１２と前記パッキン１３との連通した内部空間は、光ファイバー１５の外径とほぼ同じ径の連通した空間であり、パッキン１３がリードパイプ１２の上端部１９とストッパー１２の内フランジ２４とに狭圧されて、パッキン１３が光ファイバー１５を押圧して保持することから、光ファイバー１５と金属製であるリードパイプ１１の上端部１９の内側エッジとが強く接触することを避けられる。そのため、端子１０を設置する際及び測定中に光ファイバー１５が上端部１９の内側エッジに傷つけられて脳血流の測定に支障をきたすことがない。同様に、光ファイバー１５がストッパーの内フランジ２４の開口部エッジに強く接触することを避けることができる。そのため、ストッパーが硬質樹脂製であっても光ファイバー１５を傷つけることがなく、測定に支障がない。
【００２７】
このように構成された端子１０は、図５に示すようにして頭蓋骨Ａに対して固定する。初めに、リードパイプ１１の先端が測定しようとする血管Ｂにできるだけ近づくように、リードパイプ１１を頭蓋骨Ａに固定する。この固定はドリル等で頭蓋骨Ａに小さな穴をあけ、その穴にリードパイプのドリルネジ１７をねじ込みながら行う。リードパイプの顎部１６ａが頭蓋骨Ａの穴の周囲と当接することによりねじ入れが完了する（図５参照）。このとき、ドリルネジ１７の長さはあらかじめ設定されているため、頭蓋骨に対して正確に挿入し、固定することができる。
【００２８】
このような端子１０を少なくとも２個以上頭蓋骨Ａに固定して、脳波および血管Ｂの脳血流の測定を行う（図５参照）。
脳波の測定は、一方の端子１０ａのリードパイプ１１から電流を流し、他方の端子１０ｂのリードパイプ１１で検出して行う。端子１０ａ、ｂでは、リードパイプ１１が電極として作用し、ワッシャー１４、リード線１４ａを介して脳波計で測定できるため、簡易に測定を行うことができる。
【００２９】
脳血流の測定は、一方の端子１０ａに固定された光ファイバー１５の先端から光（近赤外線）を照射し、他方の端子１０ｂに固定された光ファイバー１５の先端で受光する。
電流の発生あるいは検出、光（近赤外線）の照射あるいは受光はいずれの端子で行っても良い。
【００３０】
また、本発明の端子は、光を透過し得る部材によって前記リードパイプの下端の開口が実質的に閉塞されて前記光ファイバーの先端がリードパイプの外側の空間に面しないようにすることができる。前記光を透過し得る部材により前記リードパイプの下端の開口が閉塞されることにより、前記リードパイプと前記ストッパーと前記パッキンとが組み合わされて軸方向へと連通したそれぞれの内側空間に光ファイバーを挿通しても、前記光ファイバーの先端はリードパイプの外側の空間に面しないようにされるので、脳髄液に触れることがない。そのため、本発明の端子を測定部位に設置する作業において、端子に挿入された光ファイバーが人体に接しないので、該作業においても厳格に滅菌をする必要がない。前記光を透過し得る部材としては、脳の血流測定をすることができる程度に光を透過することができる部材であれば、その材質が特に限定されるものではない。前記光を透過し得る部材は、材質としては、ガラス、樹脂、ゴム等の透明又は半透明の硬質若しくは軟質の固体材料により開口が閉塞される材料であれば固体であって用いることができる。前記光を透過し得る部材は、乳白色等の半透明であっても入光の強度が強い場合には光を透過し得る材質として使用することができる。また、その厚さは材質と光の強さによって適宜設定することができる。さらに、透明性ガラス若しくは光透過性の高い樹脂を用いることにより、前記光を透過し得る部材の物理的強度を増すことができるので、光ファイバー挿入作業や、端子を頭蓋骨に設置する作業において、前記光を透過し得る部材が破損することがなく、しかも光を透過しやすくて測定精度を確保することができるので好ましい。前記樹脂としては、ナイロン、ウレタン系樹脂、塩化ビニルなどの滅菌可能な合成樹脂を用いることができ、前記ゴムとしては、シリコーン樹脂等の滅菌可能なゴムを用いることができる。なお、前記光を透過し得る部材としては、液状若しくはゲル状の材料をリードパイプ先端若しくは先端付近の内側空間に充填して硬化させることにより固形の光を透過し得る部材としても良い。
【００３１】
前記光を透過し得る部材は、前記リードパイプの下端の開口が実質的に閉塞されて、前記光ファイバーの先端がリードパイプの外側の空間に面しなければ、その設置場所及び設置方法は、特に限定されるものではない。前記設置場所としては、脳血流の変化を測定できれば、リードパイプの下端よりも内側であっても良いが、脳血流の測定強度を向上することができることから、前記光を透過し得る部材を前記リードパイプの内側空間における開口部もしくは開口部付近に設けることが好ましい。前記設置方法としては、前記光を透過し得る部材を、リードパイプ下端の開口部に充填し、硬化させて開口を実質的に閉塞させてもよく、リードパイプ下端の開口部に前記光を透過し得る部材が係止し得る係止部を設けて、リードパイプ上端の開口部から挿入し、前記光を透過する部材を係止部により係止させ、前記光を透過する部材が外へ出ることを阻害されるようにしても良い。前記係止部を設ける場合としては、例えば、リードパイプ下端の開口部の端部に内側へ凸となるフランジを設けて、前記光を透過する部材である円盤状の硬質透明性樹脂部材をリードパイプ上端の開口部から挿入し、フランジと接触させて接着または融接し、もしくはフランジにより縮径された開口部に圧入することにより、リードパイプ下端開口部に、前記光を透過する部材を設置しても良い。
【００３２】
図６ａの端子３０は、本発明の端子について、光を透過し得る部材により前記リードパイプの下端の開口が実質的に閉塞された場合の一実施態様例である。リードパイプ１１内には透明な円筒状の有底筒状体３５が挿入されており、この有底筒状体３５に光ファイバー１５が挿入されたものである。他の構成は、図１の端子１０と実質的に同じものである。
有底筒状体３５は、図６ｂに示すように、底部３６と、その底部周縁から上方に延びる胴部３７とからなる。この有底筒状体３５は、その底部３６がリードパイプ１１の下端もしくは下端の内側に配置されるように、リードパイプ１１内に挿入される。そのため、測定に支障なく光ファイバー１５が脳や脳髄等から保護される。有底筒状体３５は、樹脂またはガラスなどの透明な材料にて一体に成形されるのが好ましい。しかし、有底筒状体３５は、底部３６が透明であればよい。
【００３３】
図６の実施形態において、有底筒状体３５は、パッキン１３に光ファイバー１５と共に把持されている。しかし、この有底筒状体３５は、リードパイプ内に接着剤等で接着してもよい。この場合、少なくともリードパイプの下端開口部１７ｂを底部３６で閉鎖すればよく、有底筒状体の高さは特に限定されない。
有底筒状体３５は、少なくとも底部３５が樹脂あるいはガラス等の透明な材料から形成されれば特に限定されない。しかし、図６ａのようにパッキン１３によって把持させる場合、少なくとも胴部３７は可撓性あるいは弾性を有する樹脂を用いる。
【００３４】
このように本発明の端子は、脳血流を測定するための光ファイバーの固定だけでなく、端子のリードパイプ１１を脳波測定用の電極とすることにより、同部位における脳血流測定と脳波測定の同時計測を可能としている。
【図面の簡単な説明】
【００３５】
【図１】本発明の端子の一実施形態を示す断面図である。
【図２】図２ａは図１のリードパイプを示す断面図であり、図２ｂは図２ａのリードパイプの天面図であり、図２ｃは図２ａのリードパイプのII−II線断面図、図２ｄは図２ａのリードパイプの底面図である。
【図３】図３ａは図１のストッパーを示す断面図である。
【図４】図４ａ、図４ｂ、図４ｃは図１の端子の組み立て方法を示す概略図である。
【図５】図１の端子を頭蓋骨へ固定したときを示す概略図である。
【図６】図６ａは本発明の端子の他の実施形態を示す断面図であり、図６ｂはその有底筒状体の断面図である。
【符号の説明】
【００３６】
１０、１０ａ、１０ｂ  端子
１１  リードパイプ
１１ａ  フランジ
１１ｂ  リードパイプの内側空間
１２  ストッパー
１２ａ  上側開口部
１２ｂ  下側開口部
１２ｃ  内側空間
１３  パッキン
１３ａ  上端開口部
１３ｂ  下端開口部
１３ｃ  内側空間
１４  ワッシャー
１４ａ  リード線
１５  光ファイバー
１６  胴部
１６ａ  顎部
１６ｂ  平坦面
１７  ドリルネジ
１７ａ  傾斜面
１７ｂ  下端開口部
１８  雄ネジ
１９  上端部
１９ａ  段部
１９ｂ  上端開口部
２０  表面
２２  パイプ連結部
２２ａ  雌ネジ
２３  パッキン収納空間
２４  内フランジ
３０  端子
３５  有底筒状体
３６  底部
３７  胴部
Ａ    頭蓋骨
Ｂ    血管
【図１】
2010104615.tif 000003
【図２】
2010104615.tif 000004
【図３】
2010104615.tif 000005
【図４】
2010104615.tif 000006
【図５】
2010104615.tif 000007
【図６】
2010104615.tif 000008